(57)【要約】【課題】  機器に内蔵されている周波数デバイスの周波数が変更された場合に、機器に内蔵されている電源部の周波数と周波数デバイスの周波数との関係に起因して電源部のノイズによって上記周波数デバイスの機能が影響を受けることがないように上記電源部の周波数を制御する機器制御装置を提供すること。【解決手段】  電源部と、上記電源部から供給される電源によって動作するとともにその周波数が適宜変更される周波数デバイスと、上記周波数デバイスの周波数が変更された場合に、上記周波数デバイスが上記電源部の周波数と周波数デバイスの周波数との関係に起因して上記電源部において発生するノイズの影響を受けないように上記電源部の周波数を変更するように制御する電源部周波数制御手段と、を具備したもの。【選択図】  図１
2008252168.tif 000002
【特許請求の範囲】
【請求項１】
電源部と、
上記電源部から供給される電源によって動作するとともにその周波数が適宜変更される周波数デバイスと、
上記周波数デバイスの周波数が変更された場合に、上記周波数デバイスが上記電源部の周波数と周波数デバイスの周波数との関係に起因して上記電源部において発生するノイズの影響を受けないように上記電源部の周波数を変更するように制御する電源部周波数制御手段と、
を具備したことを特徴とする機器制御装置。
【請求項２】
請求項１記載の機器制御装置において、
上記電源部周波数制御手段は、上記周波数デバイスの周波数が上記電源部の周波数の等倍又は整数倍にならないよう上記電源部の周波数を決定するものであることを特徴とする機器制御装置。
【請求項３】
請求項１又は請求項２記載の機器制御装置において、
上記機器は遠隔制御機器であり、上記周波数デバイスはリモコン受信部であることを特徴とする機器制御装置。    
【発明の詳細な説明】
【技術分野】
【０００１】
本発明は機器制御装置に係り、特に、電源部において発生する電源ノイズの影響を受け易い周波数デバイスを内蔵した機器において、上記周波数デバイスの周波数の変更時に上記電源部の周波数を適切な値に変更して、電源部において発生する電源ノイズの上記周波数デバイスへの影響をなくすことができるように工夫したものに関する。
【背景技術】
【０００２】
電源部において発生する電源ノイズの影響を受け易い周波数デバイスを内蔵した機器として、例えば、遠隔制御機器がある。この種の遠隔制御機器は概略次のような構成になっている。まず、遠隔制御機器本体があり、この遠隔制御機器本体内には電源部が内蔵されているとともにリモコン受信部が内蔵されている。上記リモコン受信部はその周波数が設定により適宜変更されるものである。
尚、この種の機器の構成を開示するものとして、例えば、特許文献１がある。
【特許文献１】特開平０９−１７２６９３号公報
【発明の開示】
【発明が解決しようとする課題】
【０００３】
上記従来の構成によると次のような問題があった。例えば、リモコン受信部の周波数が変更されて電源部のスイッチング周波数に対して等倍又は整数倍の比例関係となる場合がある。このような場合には、電源部で発生するノイズによってリモコン受信部に不具合が発生してしまうという問題があった。
例えば、電源部の周波数が１００ｋＨｚであって、リモコン受信部の周波数が１００ｋＨｚ、２００ｋＨｚ、３００ｋＨｚ等の場合である（この場合には電源部の基本波又は高調波となる）。
【０００４】
本発明はこのような点に基づいてなされたものでその目的とするところは、機器に内蔵されている周波数デバイスの周波数が変更された場合に、機器に内蔵されている電源部の周波数と周波数デバイスの周波数との関係に起因して電源部において発生するノイズによって上記周波数デバイスの機能が影響を受けることがないように上記電源部の周波数を制御することが可能な機器制御装置を提供することにある。
【課題を解決するための手段】
【０００５】
上記目的を達成するべく本願発明の請求項１による機器制御装置は、電源部と、上記電源部から供給される電源によって動作するとともにその周波数が適宜変更される周波数デバイスと、上記周波数デバイスの周波数が変更された場合に、上記周波数デバイスが上記電源部の周波数と周波数デバイスの周波数との関係に起因して上記電源部において発生するノイズの影響を受けないように上記電源部の周波数を変更するように制御する電源部周波数制御手段と、を具備したことを特徴とするものである。
又、請求項２による機器制御装置は、請求項１記載の機器制御装置において、  上記電源部周波数制御手段は、上記周波数デバイスの周波数が上記電源部の周波数の塔倍又は整数倍にならないよう上記電源部の周波数を決定するものであることを特徴とするものである。
又、請求項３による機器制御装置は、請求項１又は請求項２記載の機器制御装置において、上記機器は遠隔制御機器であり、上記周波数デバイスはリモコン受信部であることを特徴とするものである。
【発明の効果】
【０００６】
以上述べたように本願発明の請求項１による機器制御装置は、電源部と、上記電源部から供給される電源によって動作するとともにその周波数が適宜変更される周波数デバイスと、上記周波数デバイスの周波数が変更された場合に、上記周波数デバイスが上記電源部の周波数と周波数デバイスの周波数との関係に起因して上記電源部において発生するノイズの影響を受けないように上記電源部の周波数を変更するように制御する電源部周波数制御手段と、を具備した構成になっているので、周波数デバイスの周波数が変更された際には、電源部の周波数も周波数デバイスの変更された周波数に対応して変更されることになり、その結果、電源部において発生するノイズが周波数デバイスに影響することを防止することができる。
【発明を実施するための最良の形態】
【０００７】
以下、図１乃至図６を参照して本発明の一実施の形態を説明する。図１は本実施の形態による機器制御装置を搭載した遠隔制御機器の構成を示す図であり、又、図２は同上の機能ブロック図である。
まず、遠隔制御機器本体１がある。この遠隔制御機器本体１内には電源部３が内装されているとともに、周波数デバイスとしてのリモコン受信部５が内装されている。
【０００８】
上記リモコン受信部５は周波数設定部７によってその周波数が適宜変更されるように構成されている。又、上記リモコン受信部５の周波数の変更に伴って、電源部３の周波数を制御する電源部周波数制御手段9が設けられている。
【０００９】
上記電源部周波数制御手段９は次のような構成になっている。まず、周波数電圧変換部１１があり、この周波数電圧変換部１１によってリモコン受信部５が使用する周波数をＤＣ電圧に変換するものである。
【００１０】
又、初期周波数電圧部１３が設置されていて、初期状態で電源部３が使用する周波数をＤＣ電圧で表すものである。又、ＤＣ電圧レベル比較部１５が設置されており、このＤＣ電圧レベル比較部１５によって、上記周波数電圧変換部１１から出力されるＤＣ電圧と上記初期周波数電圧部１３から出力されるＤＣ電圧とを比較して、その差分をＤＣ電圧で出力するものである。さらに、電源周波数変更部１７が設置されていて、この電源周波数変更部１７によって、上記ＤＣ電圧レベル比較部１５より出力されるＤＣ電圧に基づいて電源部３の周波数を変更するものである。
【００１１】
上記周波数電圧変換部１１は、図３に示すような回路構成になっている。すなわち、周波数電圧変換部１１は、コンデンサ２１、２３と、抵抗２５、２７、２９、３１と、ダイオード３２とから構成されている。このような構成をなす周波数電圧変換部１１はDC電圧をＤＣ電圧レベル比較部１５に出力するものである。
【００１２】
又、上記ＤＣ電圧レベル比較部１５は、図４に示すような回路構成となっている。すなわち、上記ＤＣ電圧レベル比較部１５は、比較演算素子３３と、抵抗３５、３７とから構成されている。上記比較演算素子３３は、上記周波数電圧変換部１１から出力されるＤＣ電圧と上記初期周波数電圧部１３から出力されるＤＣ電圧とを比較して、その差分をＤＣ電圧で出力するものである。上記ＤＣ電圧レベル比較部１５＋側に上記初期周波数電圧部１３から基本周波数電圧が入力され、−側に上記周波数電圧変換部１１から検出されたＤＣ電圧が入力されるものである。
【００１３】
上記電源周波数変更部１７は、図５に示すような回路構成になっている。すなわち、上記電源周波数変更部１７は、Ｓｗｉｔｉｎｇ−Ｄｅｖｉｃｅ素子（ＳＷ−ＤＥＶＩＣＥ)４１、制御素子（ＰＷＭ−ＩＣ）４３と、抵抗４５、４７と、コンデンサ４９とから構成されている。
【００１４】
電源部３は、通常、上記Ｓｗｉｔｉｎｇ−Ｄｅｖｉｃｅ素子（ＳＷ−ＤＥＶＩＣＥ)４１が上記制御素子（ＰＷＭ−ＩＣ）４３によってON／OFF制御されることによって動作している。すなわち、制御素子（ＰWM−ＩＣ）はそのON／OFF周期が一定でON／OFFの期間を変化させることによって電源部３の状態を制御することになる。そして、ＳＷ−Ｐｉｎ４１ａのON／OFF周期が電源周波数変更部１７の周波数となる。
【００１５】
又、上記電源部３の周波数はＯＳＣ−Ｐｉｎ４１ｂに接続されたコンデンサ４９、抵抗４５の定数により決定され、その動作は次のようなものである。すなわち、制御素子（ＰＷＭ−ＩC）４３のＯＳＣ−Ｐｉｎ４１ｂから電流が吐き出されてコンデンサ４９に電荷が蓄積される。それによって、コンデンサ４９の電圧が上昇する。コンデンサ４９の電圧が制御素子（ＰＷＭ−ＩC）４３によって決定された上限値に達すると電流の供給が停止される。そして、抵抗４５によってコンデンサ４９に蓄積された電荷が放電されコンデンサ４９の電圧は下降する。
【００１６】
ここで、電圧が制御素子（ＰＷＭ−ＩＣ）４３によって決められた下限値に到達すると電流の供給が再開され、コンデンサ４９の電圧が再度上昇していく。そして、このコンデンサ４９の電圧の上昇／下降の周期が電源部３の周波数となる。又、本実施の形態では、コンデンサ４９が抵抗４７を介して周波数電圧変換部１１のＤＣ電圧に接続されている。この為、周波数電圧変換部１１のＤＣ電圧の値により、抵抗４７に流れる電流の向き及び値が変化することになる。その結果、コンデンサ４９に供給される電流の値も変化することとなる。つまり、コンデンサ４９の電圧が上昇／下降する周期を変化させることとなり、結局、電源部３の周波数を制御することとなる。
【００１７】
尚、上記の動作を図示すると図６のようなものとなる。図６は横軸に時間をとり縦軸に電圧をとって、コンデンサ４３の電圧の上昇／下降を示す図である。
【００１８】
以上の構成を基にその作用を説明する。
まず、定常状態又は初期状態では、リモコン受信部５と電源部３との周波数は互いに影響しない周波数にて動作している。その状態において、周波数設定部７からリモコン受信部５に対して周波数を変更するように設定がなされる。リモコン受信部５は周波数設定部７の設定によりその周波数を変更する。それと同時に、自身が使用する周波数波形(正弦波或いは方形波)を周波数電圧変換部１１に出力する。
【００１９】
上記周波数電圧変換部１１はリモコン受信部５から入力された周波数（正弦波或いは方形波）を周波数に応じたＤＣ電圧レベルに変換し、それをＤＣ電圧レベル比較部１５に出力する。
【００２０】
一方、初期周波数電源部１３は電源部３が初期状態で使用する周波数に応じたＤＣ電圧レベルをＤＣ電圧レベル比較部１５に出力する。
尚、上記初期周波数電源部１３から出力されるＤＣ電圧レベルは、上記リモコン受信部５の周波数が初期状態から変更された場合にも変化しない固定値である。
【００２１】
上記ＤＣ電圧レベル比較部１５は、周波数電圧変換部１１と初期周波数電源部１３から出力されるＤＣ電圧レベルを比較して、その差分に応じたＤＣ電圧レベルを電源周波数変更部１７に出力する。つまり、リモコン受信部５の初期値の周波数と現状での周波数の差分に応じたＤＣ電圧レベルを出力することになる。
【００２２】
上記電源周波数変更部１７は、ＤＣ電圧レベル比較部１５より入力されたＤＣ電圧レベルに応じて、電源部３の周波数を変更するように電源部３に対して制御信号を与える。又は、電源部３が出力している信号を変化させることによって電源部３の周波数を変更する。その際、電源周波数変更部１７がＤＣ電圧レベル比較器１５より入力されるＤＣ電圧レベルは、リモコン受信部５と電源部３の周波数が互いに影響しないように、電源部３の周波数を変更するようなＤＣ電圧レベルがＤＣ電圧レベル比較器１５より入力されるものである。
【００２３】
上記の一連の動作により、リモコン受信部５の周波数が変更された際には、電源部３の周波数もリモコン受信部５の変更された周波数に比例した分だけ変更されることになる。その結果、リモコン受信部５と電源部３の使用する周波数の関係が等倍もしくは整数倍の関係   とならないように制御されることになり、電源部３の周波数ノイズがリモコン受信部５に影響を与えることを防止することができる。
【００２４】
以上本実施の形態によると次のような効果を奏することができる。すなわち、リモコン受信部５の周波数が変更された際には、電源部３の周波数も、リモコン受信部５の変更された周波数に比例した分だけ変更されることになる。その結果、リモコン受信部５と電源部３の使用する周波数の関係が等倍もしくは整数倍の関係とならないように制御されることになり、電源部３の周波数ノイズがリモコン受信部５に影響を与えることを防止することができる。
【００２５】
そこで、実際の設定例を表１、表２に夫々示す。
【００２６】
【表１】
2008252168.tif 000003
【００２７】
【表２】
2008252168.tif 000004
【００２８】
上記表１、表２の設定例は次の式（Ｉ）に基づいて算出されているものである。
Ｎ＝Ｎ１＋（Ｎ２−Ｎ１）／２―――（Ｉ）
但し、
Ｎ
：電源部３の周波数
Ｎ１：電源部３の基本周波数（初期周波数電圧部１３の出力）
Ｎ２：装置周波数（周波数電圧レベル比較部１１の出力）
上記表１は、初期の電源部３の周波数とリモコン受信部５の周波数が接近している場合の例を示すものであり、リモコン受信部５の周波数が変更された場合に、電源部３の周波数を等倍もしくは整数倍の関係とならないように制御している。
一方、表２は、初期の電源部３の周波数とリモコン受信部５の周波数が２倍の辺りで接近している場合の例を示すものであり、この場合も、リモコン受信部５の周波数が変更された場合に、電源部３の周波数を等倍もしくは整数倍の関係とならないように制御している。  
【００２９】
尚、本発明は前記一実施の形態に限定されるものではない。
例えば、前記一実施の形態の場合には、機器の例として、遠隔制御装置を挙げて説明しているが、それに限定されるものではなく、様々な機器が想定される。
その他、図示した構成はあくまで一例である。
【産業上の利用可能性】
【００３０】
本発明は機器制御装置に係り、特に、電源部において発生する電源ノイズの影響を受け易い周波数デバイスを内蔵した機器において、上記周波数デバイスの周波数の変更時に上記電源部の周波数を適切な値に変更して、電源部において発生する電源ノイズの上記周波数デバイスへの影響をなくすことができるように工夫したものに関し、例えば、リモコン受信部を備えた遠隔制御機器に好適である。
【図面の簡単な説明】
【００３１】
【図１】本発明の一実施の形態を示す図で、電源制御装置の全体の配置を示す構成図である。
【図２】本発明の一実施の形態を示す図で、電源制御装置の全体の構成を示すブロック図である。
【図３】本発明の一実施の形態を示す図で、電源制御装置の中の周波数電圧変換部の構成を示す回路図である。
【図４】本発明の一実施の形態を示す図で、電源制御装置の中のＤＣ電圧レベル比較部の構成を示す回路図である。
【図５】本発明の一実施の形態を示す図で、電源制御装置の中の電源周波数変更部の構成を示す回路図である。
【図６】本発明の一実施の形態を示す図で、一連の作用を説明するための特性図である。
【符号の説明】
【００３２】
１  機器本体
３  電源部
５  リモコン受信部（周波数デバイス）
７  周波数設定部
９  電源部周波数制御手段
１１  周波数電圧変換部
１３  初期周波数電圧部
１５  ＤＣ電圧レベル比較部
１７  電源周波数変更部
【図１】
2008252168.tif 000005
【図２】
2008252168.tif 000006
【図３】
2008252168.tif 000007
【図４】
2008252168.tif 000008
【図５】
2008252168.tif 000009
【図６】
2008252168.tif 000010